(57)【要約】【課題】紙媒体を目視することで、紙媒体に関する情報を認識できるようにする紙媒体及び入力装置を提供する。【解決手段】用紙１１１は、チェックボックス４０を備えている。チェックボックス４０は、用紙１１１に関する所定の情報である用紙情報に対応した位置に配置されている。チェックボックス４２４の位置は、用紙情報「４月」に対応している。チェックボックス４１３の位置は、用紙情報「第３週」に対応している。複数の用紙１１１における用紙情報が同一である場合、情報対応位置は複数の用紙１１１相互間で同じ位置である。複数の用紙１１１における用紙情報が異なる場合、情報対応位置は複数の用紙１１１相互間で異なる位置である。【選択図】図４
2015026209.tif 000002
【特許請求の範囲】
【請求項１】
用紙に関する所定の情報である用紙情報に対応した所定の位置である情報対応位置に配置されたマークを備え、
複数の前記用紙における前記用紙情報が同一である場合、前記情報対応位置は前記複数の用紙相互間で同じ位置であり、
前記複数の用紙における前記用紙情報が異なる場合、前記情報対応位置は前記複数の用紙相互間で異なる位置であることを特徴とする紙媒体。
【請求項２】
一の前記用紙には、前記一の用紙に関する前記用紙情報に対応した前記情報対応位置に前記マークが配置され、前記一の用紙に関する前記用紙情報とは異なる前記用紙情報に対応した前記情報対応位置には、前記マークと同一の形状の模様が配置されないことを特徴とする請求項１に記載の紙媒体。
【請求項３】
前記マークは、チェックボックスであることを特徴とする請求項１又は２に記載の紙媒体。
【請求項４】
前記マークは、前記用紙情報に関連する内容を示すキャラクタであることを特徴とする請求項１又は２に記載の紙媒体。
【請求項５】
前記用紙は、見開き２ページであり、
見開き２ページの前記用紙についての前記情報対応位置に配置される前記マークは、見開き２ページの前記用紙の一方のページに配置されていることを特徴とする請求項１から４のいずれかに記載の紙媒体。
【請求項６】
請求項１から５のいずれかに記載の紙媒体が載置される載置部に設けられた検出部によって検出された、筆記手段によって前記用紙に筆記された位置を取得する位置取得手段と、
前記情報対応位置に対応する前記載置部上の位置であるマーク対応位置と、前記用紙情報とが対応付けられた情報である対応情報を記憶する記憶手段と、
前記記憶手段に記憶された前記対応情報を参照し、前記検出部によって検出された位置が前記マーク対応位置である場合に、前記マーク対応位置に対応付けられた前記用紙情報を特定する特定手段と
を備えたことを特徴とする入力装置。
【発明の詳細な説明】
【技術分野】
【０００１】
本発明は、紙媒体及び紙媒体に対して筆記された軌跡を電子化可能な入力装置に関する。
【背景技術】
【０００２】
従来、台座上に載置された紙媒体に対して筆記された場合に、筆記具の移動の軌跡を、紙媒体に筆記された線画の情報として電子化する入力装置が知られている。例えば、特許文献１に記載の筆記入力装置は、手書き入力部とコードリーダとを備えている。ユーザは手書き入力部のステージ上に紙媒体を載置する。紙媒体には、バーコードが記載されている。該バーコードは、例えば、文書名、ページ番号、パソコン名、パソコンのＩＰアドレス等の紙媒体に関する情報を示すものである。ステージ上に載置された紙媒体のバーコードは、コードリーダによって読み取られる。ユーザが電磁ペンを使用して紙媒体上で筆記すると、紙媒体に書き込まれた筆記位置の座標が手書き入力部によって検出される。検出された筆記位置が示す加筆データは、バーコードが示すページ番号の文書データに加筆される。なお、バーコードの代わりに、２次元コードを使用することもできる。バーコードは、縞模様状の線の太さのわずかな違いによって情報を表すものである。また、２次元コードは、小さなドットを縦横に配列して情報を表わすものである。すなわち、バーコードや２次元コードは、模様の違いによって情報を表すものである。
【先行技術文献】
【特許文献】
【０００３】
【特許文献１】特開２００１−１４７７７１号公報
【発明の概要】
【発明が解決しようとする課題】
【０００４】
しかしながら、バーコードや２次元コードは、あくまで装置が情報を検出するものであるため、その模様の違い（線の太さ及びドットの位置等の違い）は、人間には容易に判別することができない。よって、人間が目視しても紙媒体に関する情報を認識することが困難であった。
【０００５】
本発明の目的は、紙媒体を目視することで、紙媒体に関する情報を認識できるようにする紙媒体及び入力装置を提供することである。
【課題を解決するための手段】
【０００６】
本発明の第１の態様に係る紙媒体は、用紙に関する所定の情報である用紙情報に対応した所定の位置である情報対応位置に配置されたマークを備え、複数の前記用紙における前記用紙情報が同一である場合、前記情報対応位置は前記複数の用紙相互間で同じ位置であり、前記複数の用紙における前記用紙情報が異なる場合、前記情報対応位置は前記複数の用紙相互間で異なる位置である。この場合、用紙情報が所定の位置に設けられたマークによって表されている。このため、ユーザは、マークの位置を目視するだけで、用紙情報を認識できる。また、複数の用紙における用紙情報が同一である場合、情報対応位置は複数の用紙相互間で同じ位置であり、複数の用紙における用紙情報が異なる場合、情報対応位置は複数の用紙相互間で異なる。このため、例えば、ユーザは、一の用紙情報に対応するマークの位置を覚えれば、複数の用紙相互間で同じ位置にあるマークを目視するだけで、一の用紙情報を認識できる。よって、複数の用紙における用紙情報が同一である場合にマークの位置が異なる場合、すなわち、同一の用紙情報に対応するマークが複数個所設定されている場合に比べて、ユーザが覚える必要のあるマークの位置を少なくできる。よって、ユーザがマークの位置を覚える負担を軽減できる。
【０００７】
前記紙媒体において、一の前記用紙には、前記一の用紙に関する前記用紙情報に対応した前記情報対応位置に前記マークが配置され、前記一の用紙に関する前記用紙情報とは異なる前記用紙情報に対応した前記情報対応位置には、前記マークと同一の形状の模様が配置されなくてもよい。一の用紙に配置されるマークは、一の用紙に関する用紙情報に対応する情報対応位置のみに配置され、他の用紙情報に対応した情報対応位置には、マークと同一の形状の模様が配置されない。よって、他の用紙情報に対応した情報対応位置にマークと同一の形状の模様が配置されている場合に比べて、ユーザが用紙情報を誤って認識する可能性を低減できる。また、ユーザが誤って、他の用紙情報に対応した情報対応位置にチェックマークを記入する可能性を低減できる。
【０００８】
前記紙媒体において、前記マークは、チェックボックスであってもよい。チェックボックスは、ユーザにチェックマークの記入を促すものである。このため、例えば、ドット（・）等の他の形状が用紙情報に対応した所定の位置に設けられている場合に比べて、チェックボックスはユーザの注意を引き易い。よって、ユーザはチェックボックスの位置を素早く確認することができる。故に、ユーザは、チェックボックスの位置から用紙情報を認識することを効率的に行うことができる。
【０００９】
前記紙媒体において、前記マークは、前記用紙情報に関連する内容を示すキャラクタであってもよい。この場合、マークそのものが、用紙情報に関連する内容を示すので、ユーザは、用紙情報を容易に判断することができる。
【００１０】
前記紙媒体において、前記用紙は、見開き２ページであり、見開き２ページの前記用紙についての前記情報対応位置に配置される前記マークは、見開き２ページの前記用紙の一方のページに配置されていてもよい。この場合、見開き２ページ分の用紙情報が、一方のページに配置されたマークの位置で表される。よって、ユーザが覚える必要のあるマークの位置がページ数より少なくなる。よって、ユーザがマークの位置を覚える負担を軽減できる。
【００１１】
本発明の第２の態様に係る入力装置は、前記紙媒体が載置される載置部に設けられた検出部によって検出された、筆記手段によって前記用紙に筆記された位置を取得する位置取得手段と、前記情報対応位置に対応する前記載置部上の位置であるマーク対応位置と、前記用紙情報とが対応付けられた情報である対応情報を記憶する記憶手段と、前記記憶手段に記憶された前記対応情報を参照し、前記検出部によって検出された位置が前記マーク対応位置である場合に、前記マーク対応位置に対応付けられた前記用紙情報を特定する特定手段とを備えてもよい。この場合、ユーザが紙媒体上のマークの位置を電子ペンで指定することで、入力装置は用紙情報を特定することができる。
【図面の簡単な説明】
【００１２】
【図１】手書入力システム１の概要を示す図である。
【図２】読取装置２の平面図である。
【図３】読取装置２及びＰＣ１９の電気的構成を示すブロック図である。
【図４】用紙１２１を示す図である。
【図５】用紙１１１に配置され得るチェックボックス４０の位置を示す図である。
【図６】用紙１２２を示す図である。
【図７】用紙１２３を示す図である。
【図８】対応データテーブル９５のデータ構成図である。
【図９】メイン処理のフローチャートである。
【図１０】図４の用紙１２１に書き込みが行われた状態を示す図である。
【図１１】ディスプレイ１９２に表示される画像の一例を示す図である。
【図１２】用紙１２５を示す図である。
【図１３】用紙１３０を示す図である。
【図１４】用紙１３５を示す図である。
【発明を実施するための形態】
【００１３】
以下、本発明の実施形態について、図面を参照して説明する。図１及び図２を参照して、本実施形態に係る手書入力システム１の概要を説明する。以下の説明では、図１の左上側、右下側、上側、下側、右上側、左下側を、各々、読取装置２の左側、右側、前側、後側、上側、下側と定義して説明する。また読取装置２の左右方向及び上下方向を、夫々、Ｘ軸方向及びＹ軸方向と定義して説明する。
【００１４】
図１に示すように、手書入力システム１は、読取装置２、電子ペン３、ＰＣ１９等を主に備える。読取装置２は、折り畳んで携行可能な、薄型軽量の手書き入力装置である。手書入力システム１では、ユーザは電子ペン３を用いて、読取装置２に固定された紙媒体１００の用紙１１１に線画を筆記する。線画は、文字、数値、記号、及び図形等を含む。読取装置２は、電子ペン３の位置を検出する。読取装置２は、経時的に検出された電子ペン３の複数の位置に基づいて、電子ペン３の軌跡を特定する。ＰＣ１９は、読取装置２で特定された電子ペン３の軌跡のデータ（以下、ストロークデータという。）に基づいて、用紙１１１に筆記された線画を電子化した画像ファイルを作成し、記憶する。
【００１５】
図２に示すように、読取装置２は、左右一対の左読取装置２Ｌ、右読取装置２Ｒ、フラットケーブル６、及びカバー４を構成の主体とする。左読取装置２Ｌ及び右読取装置２Ｒは、矩形薄板状であり、カバー４の前面に左右方向に見開き可能に配置されている。左読取装置２Ｌ及び右読取装置２Ｒは、フラットケーブル６によって電気的に接続されている。右読取装置２Ｒは、カバー４は、袋状の袋部４Ａを左側に備える。左読取装置２Ｌは、袋部４Ａ内に差し込まれることでカバー４に着脱可能に装着される。右読取装置２Ｒは、両面テープ及び粘着性を有する樹脂フィルム等によって、カバー４の右前面に貼り付けられる。
【００１６】
読取装置２の前面には紙媒体１００が着脱可能に装着される。図１に示すように、紙媒体１００は、左右方向に見開き可能な冊子状である。紙媒体１００では、一対の表紙（表表紙１１０Ｌ及び裏表紙１１０Ｒ）と複数の用紙１１１が、各々の縁部の一部で綴じられている。一例として、紙媒体１００はＡ５サイズのノートである。用紙１１１に予め印刷された図柄のレイアウト等を示すフォーマットは、紙媒体１００の種別毎又は用紙１１１のページ毎に異なる。紙媒体１００は、表表紙１１０Ｌが左読取装置２Ｌの上面に載置され、且つ、裏表紙１１０Ｒが右読取装置２Ｒの上面に載置されるように、読取装置２上に装着される。本実施形態では、紙媒体１００は、両面テープ及び粘着性を有する樹脂フィルム等によって、紙媒体１００が読取装置２に位置決めされた状態で装着される。ユーザは電子ペン３を用いて紙媒体１００の用紙１１１に線画を筆記できる。
【００１７】
電子ペン３は、公知の電磁誘導式の電子ペンであり、筒体３０、芯体３１、コイル３２、可変容量コンデンサ３３、基板３４、コンデンサ３５、及びインク収納部３６を主に備える。筒体３０は、円柱状の形状を有し、芯体３１の一部、コイル３２、可変容量コンデンサ３３、基板３４、コンデンサ３５、及びインク収納部３６を内部に収容する。芯体３１は、電子ペン３の先端部（図１では下側）に設けられている。芯体３１は図示外の弾性部材によって、電子ペン３の先端側に付勢されている。芯体３１の先端部は、筒体３０の外部に突出している。芯体３１の後端側（図１では上側）は、インクが収納されているインク収納部３６に接続されている。インク収納部３６は、芯体３１にインクを供給する。ユーザが電子ペン３を用いて用紙１１１に筆記すると、インクによって用紙１１１に線画が形成される。
【００１８】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００１９】
ＰＣ１９は、汎用のノート型のパーソナルコンピュータである。ＰＣ１９は、入力部１９１及びディスプレイ１９２を備える。入力部１９１は、各種指示を入力するために使用される。ディスプレイ１９２は、画像を表示する。手書入力システム１では、ＰＣ１９としてパーソナルコンピュータの代わりに周知の情報端末（タブレットＰＣ、及びスマートフォン等）が用いられてもよい。
【００２０】
図３を参照して、手書入力システム１の電気的構成を説明する。まず、読取装置２の電気的構成と、読取装置２がストロークデータを取得する原理の概要とを説明する。読取装置２は、センサ基板７Ｌ，７Ｒ、メイン基板２０、及びセンサ制御基板２８，２９を備える。センサ基板７Ｌ，７Ｒは、夫々、左読取装置２Ｌ、右読取装置２Ｒ内に設けられる。
【００２１】
メイン基板２０は、ＣＰＵ２１、ＲＡＭ２２、フラッシュＲＯＭ２３、及び無線通信部２４を備えている。ＲＡＭ２２、フラッシュＲＯＭ２３、及び無線通信部２４は、ＣＰＵ２１に電気的に接続されている。ＣＰＵ２１は、読取装置２の制御を行う。ＲＡＭ２２は、演算データ等の各種データを一時的に記憶する。フラッシュＲＯＭ２３には、ＣＰＵ２１が読取装置２を制御するために実行する各種プログラム、及び対応データテーブル９５（図７参照）が記憶されている。フラッシュＲＯＭ２３にはストロークデータ等が記憶される。無線通信部２４は、外部の電子機器と近距離無線通信を実行するためのコントローラである。
【００２２】
センサ基板７Ｌ、７Ｒには、Ｘ軸方向及びＹ軸方向の各々に細長いループコイルが多数配列されている。センサ基板７Ｌは、センサ制御基板２８のＡＳＩＣ２８Ａに電気的に接続されている。ＡＳＩＣ２８Ａは、電子ペン３による筆記動作がセンサ基板７Ｌ上で行われた場合に、筆記動作に基づいてストロークデータを作成する処理を実行する。センサ基板７Ｒは、センサ制御基板２９のＡＳＩＣ２９Ａに電気的に接続されている。ＡＳＩＣ２９Ａは、電子ペン３による筆記動作がセンサ基板７Ｒ上で行われた場合に、筆記動作に基づいてストロークデータを作成する処理を実行する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２３】
センサ基板７Ｌ，７Ｒ上で電子ペン３による筆記動作が行われた場合にストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて、読取装置２に固定された紙媒体１００の用紙１１１に線画を筆記する動作を行うと、電子ペン３はセンサ基板７Ｌ，７Ｒに近接する。そのため、電子ペン３の共振回路は電磁誘導によって共振し、誘導磁界を生じる。
【００２４】
次に、ＣＰＵ２１はＡＳＩＣ２８Ａ，２９Ａを制御して、センサ基板７Ｌ，７Ｒの各々のループコイルからの磁界の発生を停止させる。センサ基板７Ｌ，７Ｒの各々のループコイルは、電子ペン３の共振回路から発せられる誘導磁界を受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつ実行することで、受信電流に基づいて電子ペン３の位置が座標情報として検出される。
【００２５】
さらに、電子ペン３を用いて用紙１１１に線画を筆記する動作が行われている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数が変化する。ＣＰＵ２１は、共振周波数の変化（位相変化）を検出して、電子ペン３に付与された筆圧を特定する。つまりＣＰＵ２１は、特定した筆圧によって、紙媒体１００の用紙１１１に線画が筆記されている状態であるか否かを判断できる。ＣＰＵ２１は、用紙１１１に線画が筆記されていると判断した場合、電子ペン３の軌跡を示すストロークデータを取得し、フラッシュＲＯＭ２３に記憶する。ストロークデータには、軌跡上の複数の位置を示す複数の座標情報が含まれる。
【００２６】
次に、ＰＣ１９の電気的構成と、ＰＣ１９が読取装置２からストロークデータを取得した場合の処理の概要とを説明する。ＰＣ１９は、ＣＰＵ４１、ハードディスクドライブ（ＨＤＤ）４２、ＲＡＭ４３、無線通信部４４、入力回路４５、出力回路４６、入力部１９１、及びディスプレイ１９２を主に備える。ＣＰＵ４１は、ＰＣ１９の制御を行う。ＣＰＵ４１は、ハードディスクドライブ（ＨＤＤ）４３、ＲＡＭ４３、無線通信部４４、入力回路４５、及び出力回路４６と電気的に接続している。ＨＤＤ４２には、ＣＰＵ４１が実行する各種プログラムが記憶される。
【００２７】
ＰＣ１９は、図示外の媒体読取装置（例えば、ＣＤ−ＲＯＭドライブ）を備える。ＰＣ１９は、記憶媒体（例えば、ＣＤ−ＲＯＭ）に記憶されているプログラムを、媒体読取装置で読み取ってＨＤＤ４２にインストールできる。また、ＰＣ１９に接続されている外部機器（図示外）またはネットワークからプログラムを受信して、ＨＤＤ４２にインストールしてもよい。
【００２８】
ＲＡＭ４３は、種々の一時データを記憶する。無線通信部４４は、外部の電子機器と近距離無線通信を実行するためのコントローラである。入力回路４５は、ＣＰＵ４１へ入力部１９１（例えば、マウス、キーボード、タッチパネルなど）からの指示を送る制御を行う。出力回路４６は、ＣＰＵ４１からの指示に応じてディスプレイ１９２に画像を表示する制御を行う。
【００２９】
ＣＰＵ４１は、読取装置２からストロークデータを取得する指示がユーザによって入力された場合、無線通信部４４を介して読取装置２との間で近距離無線通信を実行する。読取装置２のフラッシュＲＯＭ２３に記憶されているストロークデータは、読取装置２からＰＣ１９に転送される。ＣＰＵ４１は、読取装置２から転送されたストロークデータをＲＡＭ４３又はＨＤＤ４２に記憶する。なお、読取装置２からＰＣ１９に対してストロークデータが転送される場合の通信は、無線通信に限定されず有線通信であってもよい。
【００３０】
ＣＰＵ４１は、ＲＡＭ４３又はＨＤＤ４２に記憶したストロークデータに基づく文字列を特定することも可能である。この場合、ＣＰＵ４１は、Optical Character Recognition（ＯＣＲ）処理を実行する。なお、文字列には、ＰＣ１９が認識可能な文字コードによって示される文字、数値、記号、図形等が含まれる。複数の文字、数値、記号、図形等が特定される場合だけでなく、一の文字、数値、記号、図形等が特定される場合もある。ＣＰＵ４１は、ストロークデータによって示される軌跡を示す画像データを一旦作成し、作成した画像データに対してＯＣＲ処理を実行することで、文字列を特定する。なお、文字列を特定する方法は変更できる。例えばＣＰＵ４１は、周知のパターンマッチング技術を用いることによって、ストロークデータから文字列を直接特定してもよい。
【００３１】
図４〜図７を参照し、用紙１１１の具体例である用紙１２１〜１２３について説明する。図４〜図７の下側、上側、左側、右側を、それぞれ、用紙１１１の左側、右側、上側、下側と定義して説明する。なお、用紙１２１〜１２３は、見開きの用紙１１１であり、右方向中央の境目７２を中心にして閉じることができる。
【００３２】
図４を参照して用紙１２１について説明する。用紙１２１は、週次フォーマットの用紙１１１の一例であり、４月の第３週の予定を管理するため用紙である。用紙１２１の左後部には、４月であることを示すキャラクタ「４」が記載されている。用紙１２１には、前後方向に長い７つのボックス５１１〜５１７が左側から右側にむけて順に設けられている。ボックス５１１〜５１７の上側には、夫々、日付と曜日を示すキャラクタ「１５  ｍｏｎ」〜「２１  ｓｕｎ」が記載されている。ボックス５１１〜５１７の上下方向は、時間に対応している。用紙１２１の中央部には時間を示すキャラクタ「８：００」〜「２０：００」が上下方向に記載されている。ユーザは、ボックス５１１〜５１７に、時間毎の予定等を書き込む。
【００３３】
ボックス５１２の左端部の下方には、チェックボックス４２４が設けられている。チェックボックス４２４の上側には、「星形状（★）２」が記載されている。ボックス５１１の左側には、４月の日付を示す数字６０「１」〜「３１」と、曜日を示すアルファベット６１「Ｍ」、「Ｔ」、「Ｗ」、「Ｆ」、「Ｓ」、及び「Ｓ」が記載されている。アルファベット６１「Ｍ」、「Ｔ」、「Ｗ」、「Ｆ」、「Ｓ」、及び「Ｓ」は、月曜日（ＭＯＮＤＡＹ）から日曜日（ＳＵＮＤＡＹ）の頭文字を示す。数字６０のうち、４月の第３週を示す数字「１５」〜「２１」の下方には、チェックボックス４１３が設けられている。４月の第３週を示す数字「１５」〜「２１」とチェックボックス４１３との間には、「星形状（★）１」が記載されている。アルファベット６１の上側には、「内容記入後、星形状（★）１星形状（★）２の順にチェックマークを記載してください」の文章が記載されている。
【００３４】
チェックボックス４１３，４２４は、用紙１２１に関する所定の情報である用紙情報に対応して所定の位置（以下、「情報対応位置」という。）に設けられている。チェックボックス４２４が配置されている情報対応位置が表す用紙情報は、「４月」である。チェックボックス４１３が配置されている情報対応位置が表す用紙情報は「第３週」である。
【００３５】
情報対応位置についてさらに詳しく説明する。以下の説明では、チェックボックスを総称する場合、又はいずれかを特定しない場合、チェックボックス４０という。図５は、用紙１１１が週次フォーマットである場合に配置される得るチェックボックス４０の位置（すなわち、情報対応位置）を示している。チェックボックス４１１〜４１５、４２１〜４３２は、用紙１１１についての情報対応位置に配置される。チェックボックス４２１〜４３２の位置が表す用紙情報は、夫々、「１月」〜「１２月」である。チェックボックス４１１〜４１５の位置が表す用紙情報は、夫々「第１週」〜「第５週」である。チェックボックス４２１〜４３２は、用紙１１１の下端部において、左側から右側に向かって順に配置される。チェックボックス４１１〜４１５は、用紙１１１の左端部において、上側から下側に向かって順に配置される。
【００３６】
例えば、４月第３週の用紙１２１の場合、図５に示すチェックボックス４０のうち、用紙情報「４月」を表すチェックボックス４２４と、用紙情報「第３週」を表すチェックボックス４１３とが配置され、他のチェックボックス４０は配置されない（図４参照）。また、図６に示す１１月第２週の用紙１２２の場合、図５に示すチェックボックス４０のうち、用紙情報「１１月」を表すチェックボックス４３１と、用紙情報「第２週」を表すチェックボックス「４１２」とが配置され、他のチェックボックス４０は配置されない。また、図７に示す４月第２週の用紙１２３の場合、用紙情報「４月」を表すチェックボックス４２４と、用紙情報「第２週」を表すチェックボックス「４１２」とが配置され、他のチェックボックス４０は配置されない。
【００３７】
本実施形態では、複数の用紙１１１における用紙情報が同一である場合、情報対応位置は複数の用紙１１１相互間で同じ位置である。このため、用紙情報が「４月」で同一である用紙１２１（図４参照）と用紙１２３（図７参照）におけるチェックボックス４２４の位置は、用紙１２１，１２３間で同一である。同様に、用紙情報が「第２週」で同一である用紙１２２（図６参照）と用紙１２３（図７参照）におけるチェックボックス４１２の位置は、用紙１２２，１２３間で同一である。
【００３８】
また、本実施形態では、複数の用紙１１１における用紙情報が異なる場合、情報対応位置は複数の用紙１１１相互間で異なる。このため、用紙情報「４月」と「１１月」とで異なる用紙１２１（図４参照）と用紙１２２（図６参照）におけるチェックボックス４２４，４３１の位置は異なる。同様に、用紙情報「第３週」と「第２週」とで異なる用紙１２１（図４参照）と用紙１２２（図６参照）におけるチェックボックス４１３，４１２の位置は異なる。
【００３９】
また、本実施形態では、一の用紙１１１には、一の用紙１１１に関する用紙情報に対応した情報対応位置にチェックボックス４０が配置され、一の用紙１１１に関する用紙情報とは異なる用紙情報に対応した情報対応位置には、チェックボックス４０と同一の形状の模様が配置されない。例えば、図４に示すように、「４月第３週」の用紙１２１には、用紙情報「４月」に対応した情報対応位置に、チェックボックス４２４が配置され、用紙情報「第３週」に対応した情報対応位置にチェックボックス４３３が配置されている。しかし、用紙１２１に関する用紙情報とは異なる用紙情報に対応した情報対応位置（例えば、用紙情報「５月」及び「第２週」等に対応した情報対応位置）には、チェックボックス４２４，４３３と同一の形状の模様が配置されない。
【００４０】
図８を参照して、対応データテーブル９５について説明する。対応データテーブル９５は、フラッシュＲＯＭ２３に記憶されている。対応データテーブル９５では、マーク対応位置と、用紙情報とが対応付けられている。用紙情報は、「第１週」〜「第５週」と、「１月」〜「１２月」である。マーク対応位置は、チェックボックス４０が設けられる用紙対応位置に対応する左読取装置２Ｌ、右読取装置２Ｒ上の位置（座標）である。以下、左読取装置２Ｌ及び右読取装置２Ｒを総称する場合、読取装置２Ｌ，２Ｒという。
【００４１】
例えば、読取装置２Ｌ，２Ｒの座標（Ｘ１７，Ｙ１１）〜（Ｘ１８，Ｙ１２）は、用紙情報「４月」に対応付けられている。なお、図８では、説明のため、マーク対応位置が示す座標のそれぞれに対応するチェックボックス４０に、図５に示すチェックボックス４１１〜４１５，４２１〜４３２と対応する符号４１１〜４１５，４２１〜４３２を付している。また、例えば、マーク対応位置の欄に記載した座標（Ｘ１７，Ｙ１１）〜（Ｘ１８，Ｙ１２）は、チェックボックス４２４の左上の座標（Ｘ１７，Ｙ１１）〜右下の座標（Ｘ１８，Ｙ１２）の範囲に対応している。他のマーク対応位置の範囲の記載も同様である。
【００４２】
図９を参照して、読取装置２のＣＰＵ２１によって実行されるメイン処理について説明する。ＣＰＵ２１は、読取装置２の電源がＯＮされた場合に、フラッシュＲＯＭ２３に記憶されたプログラムに基づいて動作することで、メイン処理を開始する。図９に示すように、ＣＰＵ２１は、電子ペン３によって何れかの場所に線画が筆記されたかを判断する（Ｓ１１）。ＣＰＵ２１は、線画が筆記されていないと判断した場合（Ｓ１１：ＮＯ）、Ｓ１１を繰り返す。ＣＰＵ２１は、何れかの場所に線画が筆記されたと判断した場合（Ｓ１１：ＹＥＳ）、ＡＳＩＣ２８Ａから用紙１１１に筆記された位置を示すストロークデータを取得する（Ｓ１２）。ＣＰＵ２１は、Ｓ１２で取得したストロークデータをＲＡＭ２２に記憶する（Ｓ１３）。
【００４３】
ＣＰＵ２１は、対応データテーブル９５（図８参照）を参照し、Ｓ１２で取得されたストロークデータが示す位置が、マーク対応位置であるか否かを判断する（Ｓ１４）。ＣＰＵ２１は、ストロークデータが示す位置がマーク対応位置でないと判断した場合（Ｓ１４：ＮＯ）、処理をＳ１１に戻す。
【００４４】
例えば、図１０に示す具体例のように、ユーザが電子ペン３を使用して、ボックス５１１の「８：００」〜「９：００」の欄に「Ｍｅｅｔｉｎｇ」と記載した場合、「Ｍｅｅｔｉｎｇ」が筆記される間、Ｓ１１：ＹＥＳ、Ｓ１２、Ｓ１３、Ｓ１４：ＮＯの処理が繰り返される。これによって、「Ｍｅｅｔｉｎｇ」のストロークデータがＲＡＭ２２に記憶される（Ｓ１３）。
【００４５】
ＣＰＵ２１は、ストロークデータが示す位置がマーク対応位置であると判断した場合（Ｓ１４：ＹＥＳ）、対応データテーブル９５（図８参照）を参照し、マーク対応位置に対応付けられた用紙情報を特定する（Ｓ１５）。なお、ＣＰＵ２１は特定した用紙情報をＲＡＭ２２に記憶する。ＣＰＵ２１は、用紙１１１の特定が完了したか否かを判断する（Ｓ１６）。具体例の場合、「月」と「週」の両方が、Ｓ１５において特定された場合、ＣＰＵ２１は、用紙１１１の特定が完了したと判断する。ＣＰＵ２１は、用紙１１１の特定が完了していない場合（Ｓ１６：ＮＯ）、処理をＳ１１に戻す。ＣＰＵ２１は、用紙１１１の特定が完了した場合（Ｓ１６：ＹＥＳ）、Ｓ１５で特定した用紙情報を、Ｓ１３でＲＡＭ２２に記憶したストロークデータに対応付けて、フラッシュＲＯＭ２３に記憶する（Ｓ１７）。
【００４６】
例えば、図１０に示すように、ユーザは、「Ｍｅｅｔｉｎｇ」を用紙１２１に記載した後、チェックボックス４１３、チェックボックス４２４の順にチェックマークを記入する。まず、ユーザは電子ペン３を使用し、チェックボックス４１３にチェックマークを記入する。この場合、ＣＰＵ２１がＳ１２において取得したストロークデータが示す位置は、対応データテーブル９５のマーク対応位置のうち、（Ｘ４１，Ｙ４５）〜（Ｘ４２，Ｙ４６）内の座標を含む。よって、ＣＰＵ２１は、ストロークデータが示す位置がマーク対応位置であると判断する（Ｓ１４：ＹＥＳ）。ＣＰＵ２１は、対応データテーブル９５を参照し、マーク対応位置（Ｘ４１，Ｙ４５）〜（Ｘ４２，Ｙ４６）に対応付けられた用紙情報「第３週」を特定する（Ｓ１５）。ＣＰＵ２１は、「月」の特定ができていないため、用紙１１１の特定が完了していないと判断する（Ｓ１６：ＮＯ）。
【００４７】
次いで、ユーザは電子ペン３を使用し、チェックボックス４２４にチェックマークを記入する。この場合、ＣＰＵ２１がＳ１２において取得したストロークデータが示す位置は、対応データテーブル９５のマーク対応位置のうち、（Ｘ１７，Ｙ１１）〜（Ｘ１８，Ｙ１２）内の座標を含む。よって、ＣＰＵ２１は、ストロークデータが示す位置がマーク対応位置であると判断し（Ｓ１４：ＹＥＳ）。対応データテーブル９５においてマーク対応位置（Ｘ１７，Ｙ１１）〜（Ｘ１８，Ｙ１２）に対応付けられた用紙情報「４月」を特定する（Ｓ１５）。ＣＰＵ２１は、「月」と「週」の両方を特定したため、用紙１１１の特定が完了したと判断する（Ｓ１６：ＹＥＳ）。ＣＰＵ２１は、Ｓ１５で特定した用紙情報「４月」と「第３週」とを、Ｓ１３でＲＡＭ２２に記憶したストロークデータに対応付けて、フラッシュＲＯＭ２３に記憶する。なお、チェックボックス４１３，４２４に記載されたチェックマークについてのストロークデータはフラッシュＲＯＭ２３に記憶されなくてもよい。次いで、ＣＰＵ２１は処理をＳ１１に戻す。なお、読取装置２の電源がＯＦＦされた場合、メイン処理は終了される。
【００４８】
ＰＣ１９のＣＰＵ４１は、上述したように、近距離無線通信によって読取装置２からストロークデータを取得し、ＲＡＭ４３又はＨＤＤ４２に記憶することができる。このとき、ＣＰＵ４１は、Ｓ１７で記憶されたストロークデータと用紙情報とを取得して記憶する。また、ＣＰＵ４１は取得したストロークデータにＯＣＲ処理を実行し、文字列を特定することも可能である。
【００４９】
また、ＨＤＤ４２には、用紙情報と、表示するフォーマットの画像とが対応付けられて記憶されている。ＣＰＵ４１は、ストロークデータに基づく線画又はＯＣＲ処理後の文字列を、用紙情報に対応するフォーマットの画像と合成して画像ファイルを作成可能である。デジタル画像の例として、ベクター画像やラスター画像が挙げられる。画像ファイルとしてＪＰＥＧファイル、ＧＩＦファイル、ＰＮＧファイル、ＢＭＰファイルが挙げられる。
【００５０】
例えば、図１１に示すように、ＣＰＵ４１は、作成した画像ファイルに基づき、用紙情報「４月第３週」に対応付けられたフォーマットの画像１９５とストロークデータに基づく線画「Ｍｅｅｔｉｎｇ」をディスプレイ１９２に表示する。図１１に示す例では、チェックボックス４１３，４２４、及びチェックボックス４１３，４２４に記載されたチェックマーク等は表示されていないが、チェックボックス４１３，４２４が表示されてもよい。
【００５１】
なお、読取装置２のＣＰＵ２１が、ストロークデータにＯＣＲ処理を実行し、文字列を特定してもよい。また、読取装置２のフラッシュＲＯＭ２３に、用紙情報と、表示するフォーマットの画像とが対応付けられて記憶されてもよい。また、読取装置２のＣＰＵ２１が、ストロークデータに基づく線画又はＯＣＲ処理後の文字列を、用紙情報に対応するフォーマットの画像と合成して画像ファイルを作成可能であってもよい。ＣＰＵ２１は、作成した画像ファイルをＰＣ１９に転送可能であってもよい。
【００５２】
なお、ユーザが「Ｍｅｅｔｉｎ」を記入し、チェックボックス４１３，４２４にチェックマークを記入した後、用紙１２１に追記をして、再度チェックボックス４１３，４２４にチェックマークを記入すれば、「Ｍｅｅｔｉｎｇ」に追加して書き込んだ内容が記憶される（Ｓ１７）。
【００５３】
以上のように、本実施形態における紙媒体１００が形成され、読取装置２による処理が行われる。本実施形態では、チェックボックス４０は、用紙情報に対応した所定の位置である情報対応位置に配置されている。すなわち、用紙情報が所定の位置に設けられたチェックボックス４０によって表されている。例えば、図４に示す例では、用紙情報である「4月第３週」が、チェックボックス４１３，４２４の位置によって表されている。ユーザは、事前にチェックボックス４１３，４２４の位置と、夫々が表す用紙情報（「第３週」及び「４月」）との関係を憶えておく。ユーザは、チェックボックス４１３，４２４の位置を目視するだけで、用紙１２１が４月第３週の用紙１１１であることを認識することができる。
【００５４】
また、複数の用紙１１１における用紙情報が同一である場合、情報対応位置は複数の用紙１１１相互間で同じ位置であり、複数の用紙１１１における用紙情報が異なる場合、情報対応位置は複数の用紙１１１相互間で異なる。このため、例えば、ユーザは、一の用紙情報に対応するチェックボックス４０の位置を憶えれば、用紙１１１相互間で同じ位置にあるチェックボックス４０を目視するだけで、一の用紙情報を認識できる。例えば、ユーザが、一の用紙情報「４月」に対応するチェックボックス４２４の位置を憶えれば、用紙１２１，１２３（図４及び図７参照）相互間で同じ位置にあるチェックボックス４２４を目視するだけで、一の用紙情報「４月」を認識できる。同様に、ユーザが、一の用紙情報「第２週」に対応するチェックボックス４１２の位置を憶えれば、用紙１２２，１２３（図６及び図７参照）相互間で同じ位置にあるチェックボックス４１２を目視するだけで、一の用紙情報「第２週」を認識できる。よって、複数の用紙１１１における用紙情報が同一である場合にチェックボックス４０の位置が異なる場合、すなわち、同一の用紙情報に対応するチェックボックス４０が複数個所設定されている場合に比べて、ユーザが覚える必要のあるチェックボックス４０の位置を少なくできる。よって、ユーザがチェックボックス４０の位置を憶える負担を軽減できる。
【００５５】
また、複数の用紙１１１における用紙情報が同一である場合、情報対応位置は複数の用紙１１１相互間で同じ位置であるので、同一の用紙情報に対応するマーク対応位置は１箇所である。よって、同一の用紙情報に対応するマーク対応位置を複数記憶する場合に比べて、フラッシュＲＯＭ２３におけるマーク対応位置を記憶するための記憶容量を低減することができる。
【００５６】
また、例えば、一の用紙１２１には、一の用紙１２１に関する用紙情報「第３週」と「４月」に対応した情報対応位置にチェックボックス４１３，４２４が配置され、一の用紙１２１に関する用紙情報とは異なる用紙情報（以下、他の用紙情報という。）に対応した情報対応位置には、チェックボックス４１３，４２４と同一の形状の模様が配置されない。例えば、用紙１２１には、「４月」とは異なる用紙情報「５月」に対応した情報対応位置（図５のチェックボックス４２５の位置）には、チェックボックス４１３，４２４と同一の形状の模様が配置されない。よって、他の用紙情報に対応した情報対応位置にチェックボックス４１３，４２４と同一の形状の模様が配置されている場合に比べて、ユーザが用紙情報を誤って認識する可能性を低減できる。また、ユーザが誤って、他の用紙情報に対応した情報対応位置にチェックマークを記入する可能性を低減できる。
【００５７】
また、用紙情報に対応した所定の位置に設けられているのは、チェックボックス４０である。チェックボックス４０は、ユーザにチェックマークの記入を促すものである。このため、例えば、チェックボックス４０の代わりにドット（・）等が用紙情報に対応した所定の位置に設けられている場合に比べて、チェックボックス４０はユーザの注意を引き易い。よって、ユーザは、チェックボックス４０の位置を素早く確認することができる。故に、ユーザは、チェックボックス４０の位置から用紙情報を認識することを効率的に行うことができる。
【００５８】
また、形状がチェックボックスであるため、ユーザは、チェックボックス４０にチェックマークを記入すれば、読取装置２に用紙情報を特定させることができることを容易に判断することができる。故に、ユーザがチェックマークを記入し忘れることによって、読取装置２が用紙情報を特定しないことを防止することができる。
【００５９】
ユーザがチェックボックス４１３，４２４にチェックマークを記入すれば、自動的に用紙情報とストロークデータとが対応付けられて記憶される（図９のＳ１７）。このため、チェックボックス４１４，４２４の他に、記憶する指令をＣＰＵ２１に認識させるためのチェックボックスを設ける必要がない。故に、記憶する指令をＣＰＵ２１に認識させるためのチェックボックスを設ける場合に比べて、チェックボックスを配置するスペースを低減することができる。
【００６０】
上記実施形態において、チェックボックス４０は本発明の「マーク」の一例である。左読取装置２Ｌ及び右読取装置２Ｒは本発明の「載置部」の一例である。センサ基板７Ｌ，７Ｒは本発明の「検出部」の一例である。電子ペン３は本発明の「筆記手段」の一例である。対応データテーブル９５は本発明の「対応情報」の一例である。フラッシュＲＯＭ２３は本発明の「記憶手段」の一例である。図９のＳ１２の処理を行うＣＰＵ２１は本発明の「位置特定手段」の一例である。Ｓ１５の処理を行うＣＰＵ２１は本発明の「特定手段」の一例である。読取装置２は本発明の「入力装置」の一例である。
【００６１】
なお、本実施形態は上記実施形態に限定されることなく、種々の変更が可能である。例えば、対応データテーブル９５におけるマーク対応位置の範囲（図８参照）は、チェックボックス４０の外形より広い範囲であってもよい。
【００６２】
また、週次フォーマットは一例であり、用紙１１１は、月次の予定を書き込むためのフォーマットであってもよい。例えば、図１２に示す２０１３年４月のフォーマットであってもよい。この場合、チェックボックス４４１の位置が用紙情報「４月」を表し、チェックボックス４４２の位置が用紙情報「２０１３年」を表してもよい。なお、用紙情報「４月」を表すチェックボックス４４１の位置は、図４のチェックボックス４２４と同じ位置であってもよい。
【００６３】
また、用紙１１１は、予定を書き込むフォーマットでなくてもよく、例えば、メモを記載するためのフォーマットであってもよい。また、フォーマットに限らず、ページ番号を表す所定の位置にチェックボックス４０が配置されてもよい。この場合、用紙情報は「ページ番号」である。
【００６４】
また、チェックボックス４１３，４２４にチェックマークを記入する順番は限定されず、例えば、チェックボックス４２４、チェックボックス４１３の順にチェックマークが記入されてもよい。また、「星形状（★）１、及び「星形状（★）２」は記載されていなくてもよい。また、チェックボックス４１３の上側に、日付「１５」〜「２１」が記載されていたが、記載されなくてもよい。他の日付も記載されなくてもよい。
【００６５】
また、メイン処理（図９参照）を実行するのは、読取装置２のＣＰＵ２１であったが、ＰＣ１９のＣＰＵ４１であってもよい。この場合、ＨＤＤ１９に、メイン処理を行うためのプログラムと対応データテーブル９５とが記憶されてもよい。この場合、読取装置２は、ストロークデータをＰＣ１９のＣＰＵ４１に転送する。ストロークデータを受信したＣＰＵ４１は、受信したストロークデータを使用して、図９のメイン処理を実行する。ＣＰＵ４１は、Ｓ１３においてＲＡＭ４３にストロークデータを記憶する。ＣＰＵ４１は、Ｓ１７において、ストロークデータと用紙情報とを対応付けてＨＤＤ４２に記憶する。本変形例の場合、ＰＣ１９は本発明の「入力装置」の一例である。ＨＤＤ４２は本発明の「記憶手段」の一例である。図９のＳ１２の処理を行うＣＰＵ４１は本発明の「位置特定手段」の一例である。Ｓ１５の処理を行うＣＰＵ４１は本発明の「特定手段」の一例である。
【００６６】
また、用紙情報に対応して設けられているのは、チェックボックス４０であるが、例えば、ドット（・）及び丸印（○）等の他のマークでもよい。また、マークは、用紙情報に関連する内容を示すキャラクタ（文字、数字、図形等）であってもよい。以下、情報対応位置に配置されたマークが、用紙情報に関連する内容を示すキャラクタである場合の例について説明する。なお、図１３に示す用紙１３０には、チェックボックス４２４，４１１〜４１５は記載されていないが、説明のため、図５に示すチェックボックス４２４，４１１〜４１５と同じ位置を点線で示している。また、チェックボックス４２４の範囲は、図５に示す例より大きくしてある。この場合、対応データテーブルにおけるチェックボックス４２４についてのマーク対応位置の座標範囲も大きくなる。
【００６７】
図１３に示す用紙１３０では、用紙１２１（図４参照）とは異なり、チェックボックス４１３、４２４は設けられていない。しかし、チェックボックス４２４と同じ位置に、用紙情報「４月」に関連する内容であるキャラクタ「４月」が配置されている。また、チェックボックス４１３と同じ位置に、用紙情報「第３週」に関連する内容である第３週の日付のキャラクタ「１５」〜「２１」が配置されている。また、本変形例の場合、一の用紙１３０には、一の用紙１３０に関する用紙情報「４月」、「第３週」に対応した情報対応位置に、キャラクタ「４月」、「１５」〜「２１」が配置されている。また、一の用紙１３０に関する用紙情報とは異なる用紙情報に対応した情報対応位置（図１３のチェックボックス４１１，４１２，４１４，４１５の位置と同じ位置）には、日付のキャラクタと同一の形状の模様が配置されない。
【００６８】
ユーザが４月第３週のキャラクタ「１５」〜「２１」の何れかの上にチェックマークを記入すると、ＣＰＵ２１は、用紙情報「第３週」を特定する（図９のＳ１５参照）。ユーザがキャラクタ「４月」の上にチェックマークを記入すると、ＣＰＵ２１は、用紙情報「４月」を特定する（図９のＳ１５参照）。
【００６９】
本変形例の場合、用紙情報に対応するマークそのものが、用紙情報に関連する内容を示すキャラクタであるので、ユーザは、用紙情報「４月」と「第３週」を容易に判断することができる。また、ユーザは用紙情報に関連する内容を示すキャラクタにチェックマークを記入するだけで、読取装置２に用紙情報を特定させることができる。
【００７０】
また、例えば、図４におけるチェックボックス４２４の下側にキャラクタ「４月」を追加した場合、チェックボックス４２４とキャラクタ「４月」とを並べる必要があるため、スペースが大きくなり、ユーザが自由に書き込みを行える領域が小さくなる場合がある。しかし、本変形例のように、情報対応位置に配置されたマークが、用紙情報に関連する内容を示すキャラクタである場合、キャラクタとチェックボックス４０とを並べる必要がなく、スペースを小さくすることができる。よって、ユーザが自由に書き込みを行えるスペースを広くすることができる。なお、用紙情報「第３週」に関連する内容は、第３週の日付のキャラクタであったが、例えば、キャラクタ「第３週」等、他のキャラクタで記載されていてもよい。
【００７１】
他のフォーマットの一例について説明する。図１４に示す用紙１３５は、ノートのフォーマットである。また、用紙１３５は見開き２ページであり、左ページが３ページ目、右ページが４ページ目である。チェックボックス４４５は、見開き２ページの用紙１３５の一方のページである４ページ目の左下部に配置されている。チェックボックス４４５の位置は、用紙情報「３ページ目、４ページ目」を表している。フラッシュＲＯＭ２３は、図８に示す対応データテーブル９５と同様に、用紙情報「１ページ目、２ページ目」、「３ページ目、４ページ目」、「５ページ目、６ページ目」等と、夫々のマーク対応位置とを対応付けて記憶している。ユーザは用紙１３５に線画を記入し、チェックボックス４４５にチェックマークを記入する。この場合、ＣＰＵ２１は、用紙情報「３ページ目、４ページ目」を特定し（Ｓ１５）、用紙情報「３ページ目、４ページ目」とストロークデータとをフラッシュＲＯＭ２３に記憶する（Ｓ１７）。すなわち、ＣＰＵ２１は、見開き２ページ分のフォーマットをあたかも１枚のフォーマットのように扱うことができる。
【００７２】
本変形例の場合、見開き２ページ分の用紙情報（例えば、「３ページ目、４ページ目」）が、１つのチェックボックス４０の位置で表される。このため、ユーザが覚える必要のあるチェックボックス４０の位置が紙媒体１００のページ数より少なくなる。よって、ユーザがチェックボックス４０の位置を覚える負担を軽減できる。また、チェックボックス４０の位置が紙媒体１００のページ数より少なくなるので、チェックボックス４０を配置するためのスペースを削減できる。よって、例えば、ユーザが自由に記入可能な領域を大きくすることができる。
【００７３】
また、見開き２ページ分の用紙情報が、１つのマーク対応位置に対応している。このため、左ページの用紙情報と、右ページの用紙情報との夫々にマーク対応位置が設定されている場合に比べて、フラッシュＲＯＭ２３におけるマーク対応位置を記憶するための記憶容量を低減することができる。
【００７４】
また、例えば、ユーザが一方のページである４ページ目に配置されたチェックボックス４４５にチェックマークを記入すれば、ＣＰＵ２１が見開き２ページに記入されたストロークデータをフラッシュＲＯＭ２３に記憶することができる。よって、左ページと右ページとの両方にチェックボックス４０が設けられ、個々のページにチェックマークを記入する場合に比べて、ユーザの手間を削減することができる。
【００７５】
なお、例えば、紙媒体１００が他の紙媒体１００に変更された場合でも、用紙情報「３ページ目、４ページ目」の対応するチェックボックス４４５の位置は同じである。よって、ユーザは、例えば、用紙情報「３ページ目、４ページ目」に対応するチェックボックス４４５の位置を覚えておけば、紙媒体１００が変更されることで用紙が変更されても、チェックボックス４４５の位置を確認することで、用紙情報「３ページ目、４ページ目」を認識することができる。
【００７６】
例えば、ユーザがＰＣ１９１の入力部１９１を操作することで、ＣＰＵ２１に紙媒体１００が他の紙媒体１００に変更されたことを認識させてもよい。この場合、ＣＰＵ２１は、変更前の紙媒体１００の「３ページ目、４ページ目」と変更後の紙媒体１００の「３ページ目、４ページ目」とに分けて、ストロークデータを記憶してもよい。
【符号の説明】
【００７７】
２    読取装置
２Ｌ    左読取装置
２Ｒ    右読取装置
３    電子ペン
７Ｌ，７Ｒ    センサ基板
２１，４１    ＣＰＵ
２３    フラッシュＲＯＭ
４０，４１１〜４１５，４２１〜４３２，４４１，４４２，４４５    チェックボックス
９５    対応データテーブル
１００    紙媒体
１１１，１２１，１２２，１２３，１３０，１３５    用紙
【図１】
2015026209.tif 000003
【図２】
2015026209.tif 000004
【図３】
2015026209.tif 000005
【図５】
2015026209.tif 000006
【図８】
2015026209.tif 000007
【図９】
2015026209.tif 000008
【図１１】
2015026209.tif 000009
【図１４】
2015026209.tif 000010
【図４】
2015026209.tif 000011
【図６】
2015026209.tif 000012
【図７】
2015026209.tif 000013
【図１０】
2015026209.tif 000014
【図１２】
2015026209.tif 000015
【図１３】
2015026209.tif 000016